(57)【特許請求の範囲】
【請求項１】
用紙の中央を基準として給紙するように規制する給紙系から構成されている給紙装置に使用され、Ａ４サイズまたはレターサイズの用紙のいずれか一方を収納することが可能な用紙収納装置において、
用紙を収納する用紙カセット本体と、この用紙カセット本体に収納される用紙の幅方向に移動可能に互いに対向して設置される一対の第１位置規制部材と、前記第１位置規制部材とは異なる位置において用紙カセット本体に収納される用紙の幅方向に移動可能に設置される横位置規制部材と、前記用紙カセット本体における前記横位置規制部材に対向する位置または給紙方向の上流側の側部に着脱可能に設置される第２位置規制部材とを備え、
Ａ４サイズの用紙を収納する場合には、前記用紙カセット本体における前記横位置規制部材に対向する位置に前記第２位置規制部材を設置して、前記一対の第１位置規制部材と横位置規制部材とを用紙サイズに合わせて移動させ、一対の第１位置規制部材および横位置規制部材と第２位置規制部材とによって用紙の幅方向を位置規制し、かつ用紙カセット本体における給紙方向の上流側の側部によって用紙の長さ方向を位置規制し、
レターサイズの用紙を収納する場合には、前記用紙カセット本体における給紙方向の上流側の側部に前記第２位置規制部材を設置して、前記一対の第１位置規制部材と横位置規制部材とを用紙サイズに合わせて移動させ、一対の第１位置規制部材および横位置規制部材と用紙カセット本体における給紙方向に対して直交する方向の側部とによって用紙の幅方向を位置規制し、かつ第２位置規制部材によって用紙の長さ方向を位置規制することを可能に構成したことを特徴とする用紙収納装置。
【請求項２】
前記一対の第１位置規制部材に、収納された用紙を１枚ずつ分離するためのコーナー爪機構をそれぞれ設置したことを特徴とする請求項１記載の用紙収納装置。
【請求項３】
前記第２位置規制部材に用紙における長さ方向の端部に弾接する弾性部材を着脱可能に設け、
Ａ４サイズの用紙を収納する場合には、前記弾性部材を第２位置規制部材から外して用紙カセット本体における給紙方向の上流側の側部に設置し、
レターサイズの用紙を収納する場合には、前記弾性部材を第２位置規制部材に設けて、前記弾性部材を第２位置規制部材を介して用紙カセット本体における給紙方向の上流側の側部に設置することが可能であるように構成したことを特徴とする請求項１記載の用紙収納装置。
【発明の詳細な説明】
【０００１】
【発明の属する技術分野】
本発明は、複写機，プリンタ，ファクシミリ装置などの記録用の用紙を収納する用紙収納装置に係り、特に、Ａ４サイズ(長さ297mm，幅210mm)の用紙とレターサイズの用紙(279mm，216mm)とのいずれかを収納することが可能な用紙収納装置に関するものである。
【０００２】
【従来の技術】
異なるサイズの記録紙を収納することができる用紙収納装置として、特開平5-92820号公報に開示されたものがある。
【０００３】
前記用紙収納装置は、収納される記録紙のサイズおよび向き(給紙方向に対して紙の長手方向が設置されるか短手方向が設置されるか)に応じて、複数の位置に選択的に装着されて、収納される記録紙の幅と長さを規制する複数の用紙位置規制部材を備えている。すなわち、この用紙収納装置は、記録紙を収納し、記録紙の幅を規制する位置に用紙位置規制部材を取り付け、さらに記録紙の長さを規制する位置に別の用紙位置規制部材を取り付けるという構成である。
【０００４】
【発明が解決しようとする課題】
しかしながら、前記従来の用紙収納装置においては、収納した記録紙の位置を規制する用紙位置規制部材を複数必要とするため、コストが高くなるという問題があった。
【０００５】
そこで本発明は、前記従来の問題を解決し、Ａ４サイズおよびレターサイズの用紙を選択的に収納することができ、しかもコストがかからない簡素化された構成の用紙収納装置を提供することを目的とする。
【０００６】
【課題を解決するための手段】
前記目的を達成するため、本発明は、用紙の中央を基準として給紙するように規制する給紙系から構成されている給紙装置に使用され、Ａ４サイズまたはレターサイズの用紙のいずれか一方を収納することが可能な用紙収納装置において、用紙を収納する用紙カセット本体と、この用紙カセット本体に収納される用紙の幅方向に移動可能に互いに対向して設置される一対の第１位置規制部材と、前記第１位置規制部材とは異なる位置において用紙カセット本体に収納される用紙の幅方向に移動可能に設置される横位置規制部材と、前記用紙カセット本体における前記横位置規制部材に対向する位置または給紙方向の上流側の側部に着脱可能に設置される第２位置規制部材とを備え、Ａ４サイズの用紙を収納する場合には、前記用紙カセット本体における前記横位置規制部材に対向する位置に前記第２位置規制部材を設置して、前記一対の第１位置規制部材と横位置規制部材とを用紙サイズに合わせて移動させ、一対の第１位置規制部材および横位置規制部材と第２位置規制部材とによって用紙の幅方向を位置規制し、かつ用紙カセット本体における給紙方向の上流側の側部によって用紙の長さ方向を位置規制し、レターサイズの用紙を収納する場合には、前記用紙カセット本体における給紙方向の上流側の側部に前記第２位置規制部材を設置して、前記一対の第１位置規制部材と横位置規制部材とを用紙サイズに合わせて移動させ、一対の第１位置規制部材および横位置規制部材と用紙カセット本体における給紙方向に対して直交する方向の側部とによって用紙の幅方向を位置規制し、かつ第２位置規制部材によって用紙の長さ方向を位置規制することを可能に構成したものであり、この構成によって、一対の第１位置規制部材および横位置規制部材によって用紙の幅方向の位置規制が確実に行われ、第２位置規制部材をＡ４サイズの用紙収納時におけるサイドフェンスとして利用し、かつレターサイズの用紙収納時におけるバックフェンスとして利用することができるため、中央基準の給紙系であって、かつ前記両サイズを収納することが可能な構成でありながら、簡素化された構成にすることができる。
【０００７】
また、本発明は、前記一対の第１位置規制部材に、収納された用紙を１枚ずつ分離するためのコーナー爪機構をそれぞれ設置したものであり、この構成によって、用紙の両側に設置されたコーナー爪分離方式による確実な用紙の分離動作が支障なく行われることになる。
【０００８】
また、本発明は、前記第２位置規制部材に用紙における長さ方向の端部に弾接する弾性部材を着脱可能に設け、Ａ４サイズの用紙を収納する場合には、前記弾性部材を第２位置規制部材から外して用紙カセット本体における給紙方向の上流側の側部に設置し、レターサイズの用紙を収納する場合には、前記弾性部材を、第２位置規制部材に設けて、前記弾性部材を第２位置規制部材を介して用紙カセット本体における給紙方向の上流側の側部に設置することが可能であるように構成したものであり、この構成によって、前記と同様にＡ４サイズとレターサイズを収納することができると共に、弾性部材によって両サイズの用紙がそれぞれ収納されている状態において給紙方向へ付勢されるため、コーナー爪分離方式などによる給紙動作が安定することになる。
【０００９】
【発明の実施の形態】
以下、本発明の好適な実施の形態を図面に基づいて説明する。
【００１０】
図１は本発明の実施形態を説明するための参考例１の用紙収納装置の斜視図、図２はＡ４サイズ用にセットされる状態の図１の装置の平面図、図３はレターサイズ用にセットされる状態の図１の装置の平面図である。
【００１１】
なお、参考例１の装置は、記録紙(用紙)の長手方向を給紙方向に向けて給紙する用紙縦送り用に構成され、しかも記録紙の中央を基準として給紙する中央基準(センター振り分け基準)の複写機などに適用され、さらにＡ４サイズ(297mm×210mm)の用紙と、レターサイズ(279mm×216mm)の用紙を入れ替えて使用することができるように構成されている。
【００１２】
図１〜図３において、用紙収納装置１は、記録紙を収納する上方が開放された箱状の用紙カセット本体(以下、用紙カセットという)２を主体とし、用紙カセット２内には、用紙カセット２の横側壁10，11間の底部に、積載収納された用紙を１枚ずつ分離するための公知のコーナー爪４を回動可能に支持し、かつ給紙方向に対して直交する方向(記録紙の幅方向)に移動可能に設けられた第１位置規制部材としてのサイドフェンス３と、このサイドフェンス３に対向する位置または給紙方向の上流側における用紙カセット２の後側壁12側の位置に着脱可能に取り付けられる第２位置規制部材としてのサイドフェンス兼バックフェンス５とを備えている。
【００１３】
サイドフェンス３は、Ａ４サイズおよびレターサイズの記録紙における給紙方向に対して平行な一方の側端部を保持するために用いられる。サイドフェンス兼バックフェンス５は、Ａ４サイズの記録紙における給紙方向に対して平行な他方の側端部を保持するために用いられ、レターサイズの記録紙における給紙方向の後端部を保持するために用いられる。すなわち、サイドフェンス兼バックフェンス５は、Ａ４サイズの記録紙用のサイドフェンスと、レターサイズの記録紙用のバックフェンスとを兼用するものである。
【００１４】
用紙カセット２の横側壁10，11間の底部には、サイドフェンス兼バックフェンス５を、サイドフェンス３に対向する位置に着脱可能に取り付けるためのサイドフェンス固定穴６と、または給紙方向の上流側における用紙カセット２の後側壁12側の位置に着脱可能に取り付けるためのバックフェンス固定穴９とが設けられている。
【００１５】
さらにサイドフェンス３に対向する用紙カセット２の横側壁11には、サイドフェンス３方向に突出したサイド突起部８が設けられており、このサイド突起部８は、レターサイズの記録紙における給紙方向に対して平行な側端部を保持するために用いられる。また用紙カセット２の後側壁12には、給紙方向に突出したエンド突起部７が設けられており、このエンド突起部７は、Ａ４サイズの記録紙における給紙方向の後端部を保持するために用いられる。
【００１６】
この参考例１の装置は、用紙縦送り用であって、かつ中央基準給紙の構成であるため、サイドフェンス３は、Ａ４サイズの表示部MAとレターサイズの表示部MLとの間において、Ａ４サイズの記録紙の幅とレターサイズの記録紙の幅との差の1/2である３mm移動することが可能な構成になっており、一方、サイドフェンス固定穴６は、サイド突起部８の先端から３mmの位置に、サイドフェンス兼バックフェンス５の内前面が位置するように設定されている。またバックフェンス固定穴９は、エンド突起部７の先端から、Ａ４サイズの記録紙の長さとレターサイズの記録紙の長さとの差である20mmの位置に、サイドフェンス兼バックフェンス５の内前面が位置するように設定されている。
【００１７】
次に、前記構成の参考例１の装置に記録紙を収納する方法を、Ａ４サイズの記録紙とレターサイズの記録紙の場合に分けて説明する。
【００１８】
(Ａ４サイズの記録紙の場合)
Ａ４サイズの記録紙の幅は、レターサイズの記録紙の幅に比べて短いため、サイドフェンス３に対向して設けられたサイド突起部８の方向(図２のＡ４サイズの表示部MA方向)にサイドフェンス３を移動し、記録紙の給紙方向に対して平行な一方の側端部を保持する。記録紙の他方の側端部は、サイドフェンス兼バックフェンス５をサイドフェンス固定穴６に取り付けることにより、サイドフェンス兼バックフェンス５の内前面によって保持する。
【００１９】
またＡ４サイズの記録紙の長さはレターサイズの記録紙よりも長いため、記録紙の後端部は用紙カセット２のエンド突起部７によって保持する。
【００２０】
このように、サイドフェンス３を移動させると共にサイドフェンス兼バックフェンス５をサイドフェンス固定穴６に取り付けることにより、Ａ４サイズの記録紙の幅方向における位置を規制することができる。また用紙カセット２の後側壁12にエンド突起部７を設けることにより、Ａ４サイズの記録紙の長さ方向の位置を規制することができる。したがって、記録紙の幅および長さ方向の位置を確実に規制することができることになり、記録紙の給紙時にスキューなどの給紙不良を発生させることを防止することができる。
【００２１】
(レターサイズの記録紙の場合)
レターサイズの記録紙の幅は、Ａ４サイズの記録紙の幅に比べて長いため、用紙カセット２における一方の横側壁10方向(図３のレターサイズの表示部ML方向)にサイドフェンス３を移動し、記録紙の給紙方向に対して平行な一方の側端部を保持する。記録紙の他方の側端部は、サイドフェンス兼バックフェンス５をサイドフェンス固定穴６から取り外し、用紙カセット２における他方の横側壁11のサイド突起部８によって保持する。
【００２２】
またレターサイズの記録紙の長さはＡ４サイズの記録紙よりも短いため、サイドフェンス兼バックフェンス５をバックフェンス固定穴９に取り付けて、記録紙の後端部をサイドフェンス兼バックフェンス５によって保持する。
【００２３】
このように、サイドフェンス３を移動させると共にサイド突起部８により、レターサイズの記録紙の幅方向における位置を規制することができる。またサイドフェンス兼バックフェンス５をバックフェンス固定穴９に取り付けることにより、レターサイズの記録紙の長さ方向の位置を規制することができる。したがって、記録紙の幅および長さ方向の位置を確実に規制することができることになり、前記Ａ４サイズの記録紙の給紙時と同様に、スキューなどの給紙不良を発生させることを防止することができる。
【００２４】
以上のように、サイドフェンス３を移動可能にし、サイドフェンス兼バックフェンス５を取り外し可能であるように構成して、記録紙のサイズに合わせてその取り付け位置を変更することができるため、簡単な構成によってＡ４サイズおよびレターサイズの２種の記録紙を収納して給紙することができる。またサイドフェンス兼エンドフェンス５を、Ａ４サイズの記録紙用のサイドフェンスと、レターサイズの記録紙用のバックフェンスとして兼用することができる構成であるため、２種の記録紙を収納して給紙することができる装置としては簡単であって、コストはかからない構成となる。
【００２５】
図４は本発明の実施形態を説明するための参考例２の用紙収納装置の斜視図、図５はＡ４サイズ用にセットされる状態の図４の装置の平面図、図６はレターサイズ用にセットされる状態の図４の装置の平面図である。なお、以下の説明において、図１〜図３に基づいて説明した部材に対応する部材には同一符号を付して詳しい説明は省略する。
【００２６】
参考例２の装置は、記録紙の長手方向を給紙方向に向けて給紙する用紙縦送り用に構成され、しかも記録紙の給紙方向に対して平行な一方の側端部を基準として給紙する片側基準の複写機などに適用され、さらにＡ４サイズの用紙とレターサイズの用紙とを入れ替えて使用することができるように構成されている。
【００２７】
図４〜図６において、用紙収納装置１は、記録紙を収納する上方が開放された箱状の用紙カセット２を主体とし、用紙カセット２内には、用紙カセット２の横側壁10，11間の底部に固定され、積載収納された用紙を１枚ずつ分離するための公知のコーナー爪４を回動可能に支持する第１位置規制部材としてのサイドフェンス13と、このサイドフェンス13に対向する位置または給紙方向の上流側における用紙カセット２の後側壁12側の位置に着脱可能に取り付けられる第２位置規制部材としてのサイドフェンス兼バックフェンス５とを備えている。
【００２８】
サイドフェンス13は、片側基準の設定位置に前記のように固定され、Ａ４サイズおよびレターサイズの記録紙における給紙方向に対して平行な一方の側端部を保持するために用いられる。
【００２９】
この参考例２の装置は、用紙縦送り用であって、かつ片側基準給紙の構成であるため、サイドフェンス固定穴６は、サイド突起部８の先端から、Ａ４サイズの記録紙の幅とレターサイズの記録紙の幅との差である６mmの位置に、サイドフェンス兼バックフェンス５の内前面が位置するように設定されている。またバックフェンス固定穴９は、エンド突起部７の先端から、Ａ４サイズの記録紙の長さとレターサイズの記録紙の長さとの差である20mmの位置に、サイドフェンス兼バックフェンス５の内前面が位置するように設定されている。
【００３０】
次に、前記構成の参考例２の装置に記録紙を収納する方法を、Ａ４サイズの記録紙とレターサイズの記録紙の場合に分けて説明する。
【００３１】
(Ａ４サイズの記録紙の場合)
用紙カセット２底部に固定されたサイドフェンス13によって記録紙の給紙方向に対して平行な一方の側端部を保持し、記録紙の他方の側端部は、Ａ４サイズの記録紙の幅がレターサイズの記録紙の幅に比べて短いため、サイドフェンス兼バックフェンス５をサイドフェンス固定穴６に取り付けることにより、サイドフェンス兼バックフェンス５の内前面によって保持する。
【００３２】
またＡ４サイズの記録紙の長さはレターサイズの記録紙よりも長いため、記録紙の後端部は用紙カセット２のエンド突起部７によって保持する。
【００３３】
このように、サイドフェンス兼バックフェンス５をサイドフェンス固定穴６に取り付けることにより、サイドフェンス13と共にＡ４サイズの記録紙の幅方向における位置を規制することができる。また用紙カセット２の後側壁12にエンド突起部７を設けることにより、Ａ４サイズの記録紙の長さ方向の位置を規制することができる。したがって、記録紙の幅および長さ方向の位置を確実に規制することができることになり、記録紙の給紙時にスキューなどの給紙不良を発生させることを防止することができる。
【００３４】
(レターサイズの記録紙の場合)
用紙カセット２の底部に固定されたサイドフェンス13によって、記録紙の給紙方向に対して平行な一方の側端部を保持し、記録紙の他方の側端部は、レターサイズの記録紙の幅がＡ４サイズの記録紙の幅に比べて長いため、サイドフェンス兼バックフェンス５をサイドフェンス固定穴６から取り外し、用紙カセット２における他方の横側壁11のサイド突起部８によって保持する。
【００３５】
またレターサイズの記録紙の長さはＡ４サイズの記録紙よりも短いため、サイドフェンス兼バックフェンス５をバックフェンス固定穴９に取り付けて、記録紙の後端部をサイドフェンス兼バックフェンス５によって保持する。
【００３６】
このように、サイドフェンス兼バックフェンス５をバックフェンス固定穴９に取り付けることにより、サイドフェンス13と共にレターサイズの記録紙の長さ方向の位置を規制することができる。したがって、記録紙の幅および長さ方向の位置を確実に規制することができることになり、前記Ａ４サイズの記録紙の給紙時と同様に、スキューなどの給紙不良を発生させることを防止することができる。
【００３７】
以上のように、サイドフェンス13を固定し、サイドフェンス兼バックフェンス５を取り外し可能であるように構成して、記録紙のサイズに合わせてその取り付け位置を変更することができるため、簡単な構成によってＡ４サイズおよびレターサイズの２種の記録紙を収納して給紙することができる。またサイドフェンス兼エンドフェンス５を、Ａ４サイズの記録紙用のサイドフェンスと、レターサイズの記録紙用のバックフェンスとして兼用することができる構成であるため、２種の記録紙を収納して給紙することができる装置としては簡単であって、コストはかからない構成となる。
【００３８】
図７は本発明の実施形態を説明するための用紙収納装置においてＡ４サイズ用にセットされる状態を示す平面図、図８はレターサイズ用にセットされる状態の図７の装置の平面図、図９は図７における弾性部材の取り付け状態を示す斜視図、図10は図８における弾性部材の取り付け状態を示す斜視図である。
【００３９】
本実施形態の装置は、記録紙の長手方向を給紙方向に向けて給紙する用紙縦送り用に構成され、しかも記録紙の中央を基準として給紙する中央基準の複写機などに適用され、さらにＡ４サイズの用紙と、レターサイズの用紙を入れ替えて使用することができるように構成されている。
【００４０】
図７，図８において、用紙収納装置１は、記録紙を収納する上方が開放された箱状の用紙カセット２を主体とし、用紙カセット２内には、用紙カセット２の横側壁10，11間の底部に、積載収納された用紙を１枚ずつ分離するための公知のコーナー爪４を回動可能に支持し、かつ給紙方向に対して直交する方向に移動可能に、しかも相対向して設けられた第１位置規制部材としての一対のサイドフェンス３，３と、このサイドフェンス３，３の設置位置とは異なる用紙カセット２の横側壁10に、給紙方向に対して直交する方向に移動可能に設けられた横位置規制部材としての後サイドフェンス14と、この後サイドフェンス14に対向する位置または給紙方向の上流側における用紙カセット２の後側壁12側の位置に着脱可能に取り付けられる第２位置規制部材としてのサイドフェンス兼バックフェンス５とを備えており、このサイドフェンス兼バックフェンス５には記録紙の後端部に弾接して記録紙を給紙方向へ付勢する弾性部材としての板バネ15が着脱可能に設けられている。
【００４１】
板バネ15は、図９に示すように本例では水平部15aと、この水平部15aから延出する４枚の上部腕部15bおよび２枚の下部腕部15cとからなっており、４枚の上部腕部15bにおける外側の２枚が用紙カセット２の後側壁12またはサイドフェンス兼バックフェンス５に対して着脱可能に取り付けられる。
【００４２】
サイドフェンス３，３の一方および後サイドフェンス14は、Ａ４サイズおよびレターサイズの記録紙における給紙方向に対して平行な一方の側端部を保持するために用いられる。またサイドフェンス３，３の他方は、Ａ４サイズおよびレターサイズの記録紙における給紙方向に対して平行な他方の側端部を保持するために用いられる。さらにサイドフェンス兼バックフェンス５は、Ａ４サイズの記録紙における給紙方向に対して平行な他方の側端部を保持するために用いられ、レターサイズの記録紙に対しては板バネ15を介して給紙方向の後端部を保持するために用いられる。すなわち、サイドフェンス兼バックフェンス５は、Ａ４サイズの記録紙用のサイドフェンスと、レターサイズの記録紙用のバックフェンスとを兼用するものである。
【００４３】
用紙カセット２の横側壁10，11間の底部には、サイドフェンス兼バックフェンス５を、後サイドフェンス14に対向する位置に着脱可能に取り付けるためのサイドフェンス固定穴６と、または給紙方向の上流側における用紙カセット２の後側壁12側の位置に着脱可能に取り付けるためのバックフェンス固定穴９とが設けられている。
【００４４】
本実施形態の装置は、用紙縦送り用であって、かつ中央基準給紙の構成であるため、サイドフェンス３，３は、Ａ４サイズの記録紙の幅とレターサイズの記録紙の幅との差の1/2である３mmそれぞれ移動することが可能な構成になっており、一方、サイドフェンス固定穴６は、本例では、用紙カセット２の横側壁11に一部突出させた突出部11aから３mmの位置に、サイドフェンス兼バックフェンス５の内前面が位置するように設定されている。またバックフェンス固定穴９は、用紙カセット２の後側壁12の先端から、Ａ４サイズの記録紙の長さとレターサイズの記録紙の長さとの差である20mmの位置に、サイドフェンス兼バックフェンス５に設けられた板バネ15の内弾性面が位置するように設定されている。
【００４５】
次に、前記構成の本実施形態の装置に記録紙を収納する方法を、Ａ４サイズの記録紙とレターサイズの記録紙の場合に分けて説明する。
【００４６】
(Ａ４サイズの記録紙の場合)
Ａ４サイズの記録紙の幅は、レターサイズの記録紙の幅に比べて短いため、サイドフェンス３，３および後サイドフェンス14を用紙カセット２の内方に向かって移動し、記録紙の給紙方向に対して平行な両前側部を両サイドフェンス３，３によってそれぞれ保持し、さらに記録紙の両後側部は、サイドフェンス兼バックフェンス５をサイドフェンス固定穴６に取り付けることにより、後サイドフェンス14とサイドフェンス兼バックフェンス５の内前面によって保持する。
【００４７】
またＡ４サイズの記録紙の長さはレターサイズの記録紙よりも長いため、記録紙の後端部は、図９に示すように、用紙カセット２の後側壁12に取り付けた板バネ15によって保持し、かつ給紙方向に付勢する。
【００４８】
このように、サイドフェンス３，３と後サイドフェンス14を移動させると共にサイドフェンス兼バックフェンス５をサイドフェンス固定穴６に取り付けることにより、Ａ４サイズの記録紙の幅方向における位置を規制することができる。また用紙カセット２の後側壁12に板バネ15を取り付けることにより、Ａ４サイズの記録紙の長さ方向の位置を規制することができると共に給紙方向へ付勢することができ、両コーナー爪４による分離給紙が良好に行われる。したがって、記録紙の幅および長さ方向の位置を確実に規制することができることになり、記録紙の給紙時にスキューなどの給紙不良を発生させることを防止することができる。
【００４９】
(レターサイズの記録紙の場合)
レターサイズの記録紙の幅は、Ａ４サイズの記録紙の幅に比べて長いため、用紙カセット２の横側壁10，11方向に両サイドフェンス３，３および後サイドフェンス14を移動し、記録紙の給紙方向に対して平行な両前側部を両サイドフェンス３，３によってそれぞれ保持し、さらに記録紙の両後側部は、サイドフェンス兼バックフェンス５をサイドフェンス固定穴６から取り外し、用紙カセット２における他方の横側壁11の突出部11aと後サイドフェンス14の内前面によって保持する。
【００５０】
またレターサイズの記録紙の長さはＡ４サイズの記録紙よりも短いため、サイドフェンス兼バックフェンス５をバックフェンス固定穴９に取り付けて、さらに、図10に示すように、サイドフェンス兼バックフェンス５に板バネ15を取り付けてその板バネ15によって記録紙の後端部を付勢状態で保持する。
【００５１】
このように、移動したサイドフェンス３，３と後サイドフェンス14と共に用紙カセット２における他方の横側壁11の突出部11aにより、Ａ４サイズの記録紙の幅方向における位置を規制することができる。また板バネ15を備えたサイドフェンス兼バックフェンス５をバックフェンス固定穴９に取り付けることにより、レターサイズの記録紙の長さ方向の位置を規制すると共に給紙方向に付勢することができる。したがって、記録紙の幅および長さ方向の位置を確実に規制することができることになり、前記Ａ４サイズの記録紙の給紙時と同様に、スキューなどの給紙不良を発生させることを防止することができる。
【００５２】
以上のように、サイドフェンス３，３と後サイドフェンス14を移動可能にし、サイドフェンス兼バックフェンス５を取り外し可能であるように構成して、記録紙のサイズに合わせてその取り付け位置を変更することができるため、簡単な構成によってＡ４サイズおよびレターサイズの２種の記録紙を収納して給紙することができる。またサイドフェンス兼エンドフェンス５を、Ａ４サイズの記録紙用のサイドフェンスと、レターサイズの記録紙用のバックフェンスとして兼用することができる構成であるため、２種の記録紙を収納して給紙することができる装置としては簡単であって、コストはかからない構成にすることができる。さらに板バネ15によって記録紙の後端部を付勢状態で保持することができるため、分離給紙などの給紙が安定して行われることになる。
【００５３】
なお、本実施形態のサイドフェンス３，３および後サイドフェンス14の移動は用紙カセット２の底部に対するスライド移動の外にも、用紙カセット２の底部におけるＡ４サイズの記録紙とレターサイズの記録紙とのセット位置(規制基準位置)に対応した位置に穴あるいは溝を設けて、サイドフェンス３，３および後サイドフェンス14を取り外しすることが可能な構成にしてもよい。
【００５４】
【発明の効果】
以上説明したように、本発明の用紙収納装置によれば、位置規制部材をＡ４サイズの用紙収納時におけるサイドフェンスとして利用し、またレターサイズの用紙収納時におけるバックフェンスとしても利用することができるため、中央基準あるいは片側基準の給紙系であって、かつ前記両サイズを収納することが可能な構成でありながら、簡素化された構成にすることができ、この種の装置としてはコストがかからない構成にすることができる。
【００５５】
また、Ａ４サイズとレターサイズを収納することができると共に、弾性部材によって両サイズの用紙がそれぞれ収納されている状態において給紙方向へ付勢されるため、給紙動作を安定させることができるなどの効果を得ることができる。さらに、コーナー爪を使用した用紙の分離動作も支障なくかつ確実に行うことができる。
【図面の簡単な説明】
【図１】本発明の実施形態を説明するための参考例１の用紙収納装置の斜視図である。
【図２】図１の装置においてＡ４サイズ用にセットされる状態を示す平面図である。
【図３】図１の装置においてレターサイズ用にセットされる状態を示す平面図である。
【図４】参考例２を説明するための用紙収納装置の斜視図である。
【図５】図４の装置においてＡ４サイズ用にセットされる状態を示す平面図である。
【図６】図４の装置においてレターサイズ用にセットされる状態を示す平面図である。
【図７】本発明の実施形態を説明するための用紙収納装置においてＡ４サイズ用にセットされる状態を示す平面図である。
【図８】図７の装置においてレターサイズ用にセットされる状態を示す平面図である。
【図９】図７における弾性部材の取り付け状態を示す斜視図である。
【図１０】図８における弾性部材の取り付け状態を示す斜視図である。
【符号の説明】
１…用紙収納装置、  ２…用紙カセット、  ３，13…サイドフェンス、  ４…コーナー爪、  ５…サイドフェンス兼バックフェンス、  ６…サイドフェンス固定穴、  ７…エンド突起部、  ８…サイド突起部、  ９…バックフェンス固定穴、  10，11…用紙カセットの横側壁、  12…用紙カセットの後側壁、  14…後サイドフェンス、  15…板バネ。
【図１】
0003582043.tif 000002
【図２】
0003582043.tif 000003
【図３】
0003582043.tif 000004
【図４】
0003582043.tif 000005
【図５】
0003582043.tif 000006
【図６】
0003582043.tif 000007
【図７】
0003582043.tif 000008
【図８】
0003582043.tif 000009
【図９】
0003582043.tif 000010
【図１０】
0003582043.tif 000011